(57)【特許請求の範囲】
【請求項１】
複数のコンポーネントキャリアを統合することにより形成される通信チャネル上で端末装置との間の無線通信を行う基地局であって、
前記通信チャネル上で伝送される各データ信号は、サービス品質の要件に応じて２つ以上のクラスのうちのいずれかに分類され、
コンポーネントキャリアごとのチャネル品質及び通信リソースの空き状況、並びにデータ信号が分類されたクラスに基づいて、各データ信号を１つ以上のコンポーネントキャリアへ割り当てる制御部、
を備え、
前記制御部は、前記割り当てに従って、前記基地局又は前記端末装置に一連のデータ信号のビットを１つ以上のコンポーネントキャリアへ分配させる、
基地局。
【請求項２】
前記制御部は、第１の割り当てパターンにおいて、２つ以上のクラスにそれぞれ分類される複数のデータ信号を、１つのコンポーネントキャリアに混在させる、
請求項１に記載の基地局。
【請求項３】
前記制御部は、第２の割り当てパターンにおいて、１つのクラスに分類されるデータ信号を、複数のコンポーネントキャリア間で周波数分配する、
請求項１に記載の基地局。
【請求項４】
前記制御部は、第３の割り当てパターンにおいて、２つ以上のクラスにそれぞれ分類される複数のデータ信号を、１つのリソースブロック内に混在させる、
請求項１に記載の基地局。
【請求項５】
各データ信号はさらに時間分配される、請求項１〜４のいずれか１項に記載の基地局。
【請求項６】
複数のアンテナを用いて各データ信号はさらに空間分配される、請求項１〜４のいずれか１項に記載の基地局。
【請求項７】
複数のコンポーネントキャリアを統合することにより形成される通信チャネル上で基地局との間の無線通信を行う端末装置であって、
サービス品質の要件に応じて２つ以上のクラスのうちのいずれかに分類される各データ信号を、前記基地局との間で送信又は受信する無線通信部、
を備え、
前記無線通信部は、コンポーネントキャリアごとのチャネル品質及び通信リソースの空き状況、並びにデータ信号が分類されたクラスに基づく割り当てに従って１つ以上のコンポーネントキャリアに分配される一連のデータ信号のビットを送信又は受信する、
端末装置。
【請求項８】
複数のコンポーネントキャリアを統合することにより形成される通信チャネル上での端末装置との間の無線通信を基地局において制御するための通信制御方法であって、
前記通信チャネル上で伝送される各データ信号は、サービス品質の要件に応じて２つ以上のクラスのうちのいずれかに分類され、
コンポーネントキャリアごとのチャネル品質及び通信リソースの空き状況、並びにデータ信号が分類されたクラスに基づいて、各データ信号を１つ以上のコンポーネントキャリアへ割り当てるステップと、
前記割り当てに従って、前記基地局又は前記端末装置に一連のデータ信号のビットを１つ以上のコンポーネントキャリアへ分配させるステップと、
を含む、通信制御方法。
【請求項９】
複数のコンポーネントキャリアを統合することにより形成される通信チャネル上で互いに無線通信を行う基地局及び端末装置を含む無線通信システムであって、
前記通信チャネル上で伝送される各データ信号は、サービス品質の要件に応じて２つ以上のクラスのうちのいずれかに分類され、
前記基地局は、コンポーネントキャリアごとのチャネル品質及び通信リソースの空き状況、並びにデータ信号が分類されたクラスに基づいて、各データ信号を１つ以上のコンポーネントキャリアへ割り当てる制御部、を備え、
前記端末装置は、前記基地局との間でデータ信号を送信又は受信する無線通信部、を備え、
前記基地局の前記制御部は、前記割り当てに従って、前記基地局又は前記端末装置に一連のデータ信号のビットを１つ以上のコンポーネントキャリアへ分配させる、
無線通信システム。
【発明の詳細な説明】
【技術分野】
【０００１】
本発明は、基地局、端末装置、通信制御方法及び無線通信システムに関する。
【背景技術】
【０００２】
３ＧＰＰ（Third  Generation  Partnership  Project）において討議されている次世代セルラー通信規格であるＬＴＥ−Ａ（Long  Term  Evolution−Advanced）では、キャリアアグリゲーション（ＣＡ：Carrier  Aggregation）と呼ばれる技術を導入することが検討されている。キャリアアグリゲーションとは、端末装置（ＵＥ：User  Equipment）と基地局（ＢＳ：Base  Station、又はｅＮＢ：evolved  Node  B）との間の通信チャネルを、例えばＬＴＥにおいてサポートされる周波数帯を複数統合することにより形成し、通信のスループットを向上させる技術である。キャリアアグリゲーションにより形成される１つの通信チャネルに含まれる個々の周波数帯を、コンポーネントキャリア（ＣＣ：Component  Carrier）という。ＬＴＥにおいて使用可能な周波数帯の帯域幅は１．４ＭＨｚ、３．０ＭＨｚ、５．０ＭＨｚ、１０ＭＨｚ、１５ＭＨｚ又は２０ＭＨｚである。従って、例えば、２０ＭＨｚの周波数帯をコンポーネントキャリアとして５つアグリゲーションすると、合計で１００ＭＨｚの通信チャネルを形成することができる。
【０００３】
キャリアアグリゲーションにおいて１つの通信チャネルに含まれるコンポーネントキャリアは、必ずしも周波数方向に互いに隣接していなくてよい。コンポーネントキャリアを周波数方向に隣接して配置するモードを、隣接（Contiguous）モードという。また、コンポーネントキャリアを隣接させることなく配置するモードを、非隣接（Non-contiguous）モードという。
【０００４】
また、キャリアアグリゲーションにおいてアップリンクにおけるコンポーネントキャリア数とダウンリンクにおけるコンポーネントキャリア数とは、必ずしも等しくなくてよい。アップリンクにおけるコンポーネントキャリア数とダウンリンクにおけるコンポーネントキャリア数とが等しいモードを、シンメトリックモードという。また、アップリンクにおけるコンポーネントキャリア数とダウンリンクにおけるコンポーネントキャリア数とが等しくないモードを、アシンメトリックモードという。例えば、アップリンクにおいて２つのコンポーネントキャリア、ダウンリンクにおいて３つのコンポーネントキャリアを使用する場合には、アシンメトリックなキャリアアグリゲーションであるということができる。
【０００５】
さらに、ＬＴＥでは、複信方式としてＦＤＤ（Frequency  Division  Duplex：周波数分割複信）及びＴＤＤ（Time  Division  Duplex：時分割複信）のいずれかを用いることができる。このうち、ＦＤＤの場合には各コンポーネントキャリアのリンクの向き（アップリンク又はダウンリンク）が時間的に変化しないため、ＴＤＤと比べてＦＤＤの方がキャリアアグリゲーションには適している。
【０００６】
なお、キャリアアグリゲーション技術については、例えば下記非特許文献１に記載されている。
【先行技術文献】
【非特許文献】
【０００７】
【非特許文献１】「LTE-Advanced  and  the  Evolution  to  4G  Cellular  Systems」、［online］、［２０１０年１月５日検索］、インターネット＜URL：http://www.ece.gatech.edu/research/labs/bwn/ltea/projectdescription.html＞
【発明の概要】
【発明が解決しようとする課題】
【０００８】
上述したように、キャリアアグリゲーション技術を使用すれば、従来に比して高いスループットで無線通信を行うことができる。しかしながら、パケットベースの音声通話又はリアルタイム映像配信などといった無線通信サービスを多くのユーザが利用するようになってきている現状の下、高いサービス品質レベルを維持するためには、通信の特性を向上させるさらなる工夫が求められる。例えば、ＩＥＥＥ８０２．１１ｎの枠組みの中では、２０ＭＨｚの帯域幅を有する２つのチャネル間で一連のデータ信号をインターリーブすることにより、データ通信の特性の向上を図ることが提案されている。しかし、ＩＥＥＥ８０２．１１ｎにおけるチャネル間のインターリーブは、ＲＦ回路に予め設定される動作に従った静的なインターリーブである。このようなインターリーブの手法によれば、一部のチャネルの品質が悪化し又は空きリソースの少ないチャネルが存在する場合に、期待される特性が得られない可能性を含んでいた。これに対し、通信チャネルの状況に応じて適応的にインターリーブを行う技術が提供されれば、キャリアアグリゲーションを伴う無線通信においてより確実に通信特性を向上させることができる。
【０００９】
そこで、本発明は、キャリアアグリゲーションを伴う無線通信において、通信チャネルの状況に応じて適応的にインターリーブを実行できる、新規かつ改良された基地局、端末装置、通信制御方法及び無線通信システムを提供しようとするものである。
【課題を解決するための手段】
【００１０】
本発明のある実施形態によれば、複数のコンポーネントキャリアを統合することにより形成される通信チャネル上で端末装置との間の無線通信を行う基地局であって、コンポーネントキャリアごとの上記通信チャネルのチャネル品質を取得する品質取得部と、上記品質取得部により取得される上記チャネル品質、及びコンポーネントキャリアごとの通信リソースの空き状況の少なくとも一方に応じて、上記通信チャネル上で伝送されるデータ信号をインターリーブするインターリーブ部と、を備える基地局が提供される。
【００１１】
また、上記通信チャネル上で伝送される各データ信号がサービス品質の要件に応じて２つ以上のクラスのうちのいずれかに分類される場合に、上記インターリーブ部は、２つ以上のクラスにそれぞれ分類される複数のデータ信号を、１つのコンポーネントキャリアに混在させてもよい。
【００１２】
また、上記通信チャネル上で伝送される各データ信号がサービス品質の要件に応じて２つ以上のクラスのうちのいずれかに分類される場合に、上記インターリーブ部は、１つのクラスに分類されるデータ信号を、上記品質取得部により取得される上記チャネル品質及び上記通信リソースの空き状況の少なくとも一方に応じて、複数のコンポーネントキャリア間で周波数インターリーブしてもよい。
【００１３】
また、上記インターリーブ部は、相対的に高いサービス品質が要求されるクラスに分類されるデータ信号のビットを、所定の品質レベルを満たさないコンポーネントキャリアには分配しなくてもよい。
【００１４】
また、上記インターリーブ部は、一定の割合を超える空きリソースが存在し、かつ所定の品質レベルを満たす１つ以上のコンポーネントキャリアに、各データ信号のビットを分配してもよい。
【００１５】
また、２つ以上のコンポーネントキャリアに１つのクラスに分類されるデータ信号のビットが分配される場合に、コンポーネントキャリアごとの上記チャネル品質及び上記通信リソースの空き状況の少なくとも一方に応じて、ビットの分配の比率が決定されてもよい。
【００１６】
また、上記通信チャネル上で伝送される各データ信号がサービス品質の要件に応じて２つ以上のクラスのうちのいずれかに分類される場合に、上記インターリーブ部は、２つ以上のクラスにそれぞれ分類される複数のデータ信号を、１つのリソースブロック内に混在させてもよい。
【００１７】
また、上記インターリーブ部は、各データ信号をさらに時間インターリーブしてもよい。
【００１８】
また、上記インターリーブ部は、複数のアンテナを用いて各データ信号をさらに空間インターリーブしてもよい。
【００１９】
また、本発明の別の実施形態によれば、複数のコンポーネントキャリアを統合することにより形成される通信チャネル上で基地局との間の無線通信を行う端末装置であって、コンポーネントキャリアごとの上記通信チャネルのチャネル品質、及びコンポーネントキャリアごとの通信リソースの空き状況の少なくとも一方に応じてインターリーブされるデータ信号を、上記基地局との間で送信又は受信する無線通信部、を備える端末装置が提供される。
【００２０】
また、本発明の別の実施形態によれば、複数のコンポーネントキャリアを統合することにより形成される通信チャネル上での端末装置との間の無線通信を基地局において制御するための通信制御方法であって、上記通信チャネルのチャネル品質をコンポーネントキャリアごとに取得するステップと、無線通信に割り当てられる通信リソースの空き状況をコンポーネントキャリアごとに判別するステップと、上記チャネル品質及び上記通信リソースの空き状況の少なくとも一方に応じて、上記通信チャネル上で伝送されるデータ信号をインターリーブするステップと、を含む、通信制御方法が提供される。
【００２１】
また、本発明の別の実施形態によれば、複数のコンポーネントキャリアを統合することにより形成される通信チャネル上で互いに無線通信を行う基地局及び端末装置を含む無線通信システムであって、上記基地局は、コンポーネントキャリアごとの上記通信チャネルのチャネル品質を取得する品質取得部と、上記品質取得部により取得される上記チャネル品質、及びコンポーネントキャリアごとの通信リソースの空き状況の少なくとも一方に応じて、上記通信チャネル上で伝送されるデータ信号をインターリーブするインターリーブ部と、を備え、上記端末装置は、上記基地局の上記インターリーブ部によりインターリーブされるデータ信号を上記基地局から受信する無線通信部、を備える、無線通信システムが提供される。
【発明の効果】
【００２２】
以上説明したように、本発明に係る基地局、端末装置、通信制御方法及び無線通信システムによれば、通信チャネルの状況に応じて適応的にインターリーブを実行することができる。
【図面の簡単な説明】
【００２３】
【図１】一実施形態に係る無線通信システムの概要を示す模式図である。
【図２】通信リソースの構成の一例について説明するための説明図である。
【図３】データパケットの構成例について説明するための説明図である。
【図４】一実施形態に係る端末装置の構成の一例を示すブロック図である。
【図５】一実施形態に係る基地局の構成の一例を示すブロック図である。
【図６】一実施形態に係る無線通信部の詳細な構成の一例を示すブロック図である。
【図７Ａ】一実施形態に係るインターリーブ処理の第１の例について説明するための説明図である。
【図７Ｂ】一実施形態に係るインターリーブ処理の第２の例について説明するための説明図である。
【図７Ｃ】一実施形態に係るインターリーブ処理の第３の例について説明するための説明図である。
【図８】コンポーネントキャリアとＱｏＳクラスとの間のマッピングの第１のパターンについて説明するための説明図である。
【図９】コンポーネントキャリアとＱｏＳクラスとの間のマッピングの第２のパターンについて説明するための説明図である。
【図１０Ａ】コンポーネントキャリアとＱｏＳクラスとの間のマッピングの第３のパターンにおける第１の例を示す説明図である。
【図１０Ｂ】コンポーネントキャリアとＱｏＳクラスとの間のマッピングの第３のパターンにおける第２の例を示す説明図である。
【図１０Ｃ】コンポーネントキャリアとＱｏＳクラスとの間のマッピングの第３のパターンにおける第３の例を示す説明図である。
【図１０Ｄ】コンポーネントキャリアとＱｏＳクラスとの間のマッピングの第３のパターンにおける第４の例を示す説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付すことにより重複説明を省略する。
【００２５】
また、以下の順序にしたがって当該「発明を実施するための形態」を説明する。
１．無線通信システムの概要
１−１．システムの全体像
１−２．通信リソースの構成
１−３．サービス品質要件に応じたクラス分類
２．一実施形態に係る装置の構成例
２−１．端末装置の構成例
２−２．基地局の構成例
２−３．インターリーブ処理の構成例
２−４．コンポーネントキャリアとクラスとの間のマッピング
３．まとめ
【００２６】
＜１．無線通信システムの概要＞
［１−１．システムの全体像］
図１は、本発明の一実施形態に係る無線通信システム１の概要を示す模式図である。図１を参照すると、無線通信システム１は、１つ以上の端末装置１００、及び基地局２００を含む。
【００２７】
端末装置１００は、基地局２００により無線通信サービスが提供されるセル２０２の内部に位置している。端末装置１００は、複数のコンポーネントキャリアを統合することにより（即ち、キャリアアグリゲーションにより）形成される通信チャネル上で、基地局２００を介してセル２０２の内部又は外部の他の端末装置との間でデータ通信を行う。基地局２００は、複数のコンポーネントキャリアを統合することにより形成される通信チャネル上で、セル２０２の内部に位置する端末装置１００に通信サービスを提供する。また、基地局２００は、バックホールリンク（例えばＸ２インタフェース）を介して、他の基地局との間で通信することができる。さらに、基地局２００は、例えばＳ１インタフェースを介してサービングゲートウェイ（Ｓ−ＧＷ：Serving‐Gateway）又はＭＭＥなどの上位ノードと通信することもできる。
【００２８】
［１−２．通信リソースの構成］
図２は、本発明を適用可能な通信リソースの構成の一例として、ＬＴＥにおける通信リソースの構成を示している。図２を参照すると、ＬＴＥにおける通信リソースは、時間方向において、１０ｍｓｅｃの長さを有する個々のラジオフレームに分割される。さらに、１ラジオフレームは１０個のサブフレームを含み、１つのサブフレームは２つの０．５ｍｓスロットから構成される。ＬＴＥでは、時間方向においてはこのサブフレームが、各端末装置への通信リソースの割り当ての１単位となる。かかる１単位を、リソースブロック（Resource  Block）という。１つのリソースブロックは、周波数方向においては、１２本のサブキャリアを含む。即ち、１つのリソースブロックは、時間−周波数領域において、１ｍｓｅｃ×１２サブキャリアのサイズを有する。同じ帯域幅、同じ時間長の中では、より多くのリソースブロックがデータ通信のために割り当てられるほど、データ通信のスループットは大きくなる。図１に示した無線通信システム１においては、基地局２００が、各端末装置１００への通信リソースの割り当てを決定する。そして、例えば、基地局２００は、ダウンリンクのブロードキャストチャネル上で、スケジューリング情報を端末装置１００へ配信する。
【００２９】
［１−３．サービス品質要件に応じたクラス分類］
無線通信システム１において、上述した通信チャネル上で伝送される各データ信号は、トラフィックのサービス品質の要件（以下、ＱｏＳ（Quality  of  Service）要件という）に応じて２つ以上のクラスのうちのいずれかに分類される。ＱｏＳ要件に応じた２つ以上のクラスとは、例えば、表１に示される４つのクラス（以下、ＱｏＳクラスという）であってよい。表１では、４つのＱｏＳクラスのそれぞれについて、クラス名、当該クラスのＱｏＳ要件に関する属性の例、及び対応するサービスの例が示されている。
【００３０】
【表１】
0005862718.tif 000002
【００３１】
まず、第１のＱｏＳクラスは、“Conversational”クラスである。“Conversational”クラスのトラフィックについては、一例として、エラーレート、許容遅延量（Transfer  Delay）及び保証ビットレート（Guaranteed  bit  rate）の３つの属性が、充足すべきＱｏＳ要件として定義され得る。
【００３２】
エラーレートは、例えば、ＳＤＵ（Service  Data  Unit  error  ratio）エラー率又は残留ビットエラー率（Residual  bit  error  ratio）により表現され得る。ＳＤＵエラー率は、伝送されたＳＤＵに対するエラーが検出されたＳＤＵの割合を表す。また、残留ビットエラー率は、伝送されたデータビットに対する受信側で検出されなかったビットの割合を表す。許容遅延量は、伝送時に許容され得る遅延量を指す。また、保証ビットレートは、無線通信システム１が端末装置に保証するビットレートを指す。なお、保証ビットレートの代わりに（又はそれに加えて）、最大ビットレートが使用されてもよい。
【００３３】
表１から理解されるように、“Conversational”クラスに属するトラフィックについては、無線通信システム１は、エラーレート、許容遅延量及び保証ビットレートが予め与えられる所定の基準値を下回らないように、通信リソースをスケジューリングする。“Conversational”クラスに対応するサービスの例は、ＶｏＩＰ（Voice  over  IP）又はビデオ会議などである。
【００３４】
第２のＱｏＳクラスは、“Streaming”クラスである。“Streaming”クラスのトラフィックについても、例えば、エラーレート、許容遅延量及び保証ビットレートの３つの属性が、充足すべきＱｏＳ要件として定義され得る。但し、これらの属性についてのＱｏＳ要件の基準値は、“Conversational”クラスと異なってよい。“Streaming”クラスに対応するサービスの例は、リアルタイム映像配信などである。
【００３５】
第３のＱｏＳクラスは、“Interactive”クラスである。“Interactive”クラスのトラフィックについては、例えば、充足すべきＱｏＳ要件としてエラーレートのみが定義され得る。“Interactive”クラスに対応するサービスの例は、ウェブアクセス又はデータベース検索などである。
【００３６】
第４のＱｏＳクラスは、“Background”クラスである。“Background”クラスのトラフィックについても、例えば、充足すべきＱｏＳ要件としてエラーレートのみが定義され得る。但し、エラーレートの基準値は、“Interactive”クラスと異なってよい。“Interactive”クラスに対応するサービスの例は、Ｅメール又はＳＭＳ（Short  Messaging  Service）などである。
【００３７】
なお、表１に示したＱｏＳクラスの分類は一例に過ぎない。例えば、ＩＭＳ（Information  Management  Signaling）などの制御シグナリングのための独立したＱｏＳクラスが定義されてもよい。制御シグナリングのためのＱｏＳクラスについては、データ信号のための上述したＱｏＳクラスよりも厳しい（あるいは優先度の高い）ＱｏＳ要件が課され得る。各データ信号をこれらＱｏＳクラスのいずれに分類すべきかは、例えば、個々のサービスアプリケーションにより決定され、例えばデータパケットのヘッダ内に表示（indicate）される。
【００３８】
図３は、無線通信システム１において伝送され得るデータパケットの構成例について説明するための説明図である。図３を参照すると、４種類のデータパケット４ａ、４ｂ、４ｃ及び４ｄが示されている。
【００３９】
データパケット４ａは、ヘッダ部及びデータ部から構成される。また、データパケット４ａのデータ部には、クラスＣｉのデータビットが含まれる。例えば、クラスＣｉは、Ｃ１＝“Conversational”、Ｃ２＝“Streaming”、Ｃ３＝“Interactive”及びＣ４＝“Background”のいずれかであってよい。即ち、この場合、データパケット４ａは、単一のクラスのデータ信号のみを有するパケットである。
【００４０】
データパケット４ｂのデータ部には、クラスＣｉ及びクラスＣｊのデータビットが含まれる。例えば、クラスＣｊもまた、Ｃ１＝“Conversational”、Ｃ２＝“Streaming”、Ｃ３＝“Interactive”及びＣ４＝“Background”のいずれか（但しクラスＣｉとは異なる）であってよい。このように、１つのデータパケットに異なるＱｏＳクラスのデータビットが複合的に含まれていてもよい。
【００４１】
データパケット４ｃは、複数のＭＩＭＯ（Multiple  Input  Multiple  Output）ストリームに分配されたデータパケットである。このうち、第１のＭＩＭＯストリームのデータ部には、クラスＣｉのデータビットが含まれる。また、第２のＭＩＭＯストリームのデータ部には、クラスＣｊのデータビットが含まれる。このように、複数のＭＩＭＯストリームに分配されたデータパケットにそれぞれ異なるＱｏＳクラスのデータビットが含まれていてもよい。さらに、データパケット４ｄのように、複数のＭＩＭＯストリームに分配されたデータパケットのそれぞれに、異なる２つ以上のＱｏＳクラスのデータビットが含まれていてもよい。
【００４２】
本実施形態において、無線通信システム１は、このような複数のＱｏＳクラスのデータ信号が混在し得る環境下で、キャリアアグリゲーションを伴う無線通信を行う。その際、端末装置１００と基地局２００との間で伝送されるデータ信号は、次節において詳細に説明するように、通信チャネルの状況に応じて適応的にインターリーブされる。
【００４３】
＜２．一実施形態に係る装置の構成例＞
［２−１．端末装置の構成例］
図４は、本実施形態に係る端末装置１００の構成の一例を示すブロック図である。図４を参照すると、端末装置１００は、無線通信部１１０、信号処理部１５０、制御部１６０及び測定部１７０を備える。
【００４４】
（無線通信部）
無線通信部１１０は、キャリアアグリゲーション技術を用いて複数のコンポーネントキャリアを統合することにより形成される通信チャネル上で、基地局２００との間の無線通信を行う。基地局２００との間で送受信されるデータ信号は、後にさらに説明するように、コンポーネントキャリアごとのチャネル品質又はコンポーネントキャリアごとの通信リソースの空き状況に応じてインターリーブされるデータ信号である。
【００４５】
例えば、図４に示しているように、無線通信部１１０は、インターリーブ部１１２及びデインターリーブ部１１４を含む。インターリーブ部１１２は、制御部１６０による制御の下で、信号処理部１５０から入力されるデータ信号のビット列をインターリーブする。そして、無線通信部１１０は、インターリーブ部１１２によりインターリーブされたデータ信号を、基地局２００との間の通信チャネル上へ送出する。一方、デインターリーブ部１１４は、制御部１６０による制御の下で、基地局２００との間の通信チャネルを介して受信されるデータ信号のビット列をデインターリーブする。そして、無線通信部１１０は、デインターリーブ部１１４によりデインターリーブされたデータ信号を、信号処理部１５０へ出力する。
【００４６】
（信号処理部）
信号処理部１５０は、無線通信部１１０から入力されるデータ信号について、復号及び誤り訂正などの信号処理を行う。そして、信号処理部１５０は、処理後のデータ信号を上位レイヤへ出力する。また、信号処理部１５０は、上位レイヤから入力されるデータ信号について、符号化などの信号処理を行う。そして、信号処理部１５０は、処理後のデータ信号を、無線通信部１１０へ出力する。
【００４７】
（制御部）
制御部１６０は、ＣＰＵ（Central  Processing  Unit）又はＤＳＰ（Digital  Signal  Processor）などの処理装置を用いて、端末装置１００の機能全般を制御する。例えば、制御部１６０は、無線通信部１１０が基地局２００から受信するスケジューリング情報に従って、無線通信部１１０によるデータ通信のタイミングを制御する。また、制御部１６０は、測定部１７０に基地局２００からのリファレンス信号を用いてコンポーネントキャリアごと（好適には各コンポーネントキャリア内のリソースブロックごと）のチャネル品質を測定させ、チャネル品質レポートを無線通信部１１０を介して基地局２００へ送信する。また、制御部１６０は、各コンポーネントキャリアと各データ信号のＱｏＳクラスとの間のマッピングに関連する制御情報を無線通信部１１０を介して基地局２００から受信する。当該制御情報は、上述したスケジューリング情報と同一の情報であってもよく、又は異なる情報であってもよい。そして、制御部１６０は、当該制御情報に応じて、無線通信部１１０のインターリーブ部１１２及びデインターリーブ部１１４の処理を制御する。
【００４８】
（測定部）
測定部１７０は、例えば、制御部１６０からの制御の下で、基地局２００からのリファレンス信号を用いてチャネル品質を測定する。測定部１７０による測定結果は、制御部１６０により所定のフォーマットに整形され、無線通信部１１０を介して基地局２００へ送信される。かかるチャネル品質の測定結果は、基地局２００における各コンポーネントキャリアと各データ信号のＱｏＳクラスとの間のマッピングのために使用され得る。
【００４９】
［２−２．基地局の構成例］
図５は、本実施形態に係る基地局２００の構成の一例を示すブロック図である。図５を参照すると、基地局２００は、無線通信部２１０、インタフェース部２５０、記憶部２６０、品質取得部２６８、制御部２７０及びＱｏＳ管理部２８０を備える。
【００５０】
（無線通信部）
無線通信部２１０は、キャリアアグリゲーション技術を用いて複数のコンポーネントキャリアを統合することにより形成される通信チャネル上で、端末装置１００との間の無線通信を行う。また、無線通信部２１０は、インターリーブ部２１２及びデインターリーブ部２１４を含む。インターリーブ部２１２は、制御部２７０による制御の下で、インタフェース部２５０から入力されるデータ信号のビット列をインターリーブする。そして、無線通信部２１０は、インターリーブ部２１２によりインターリーブされたデータ信号を、端末装置１００との間の通信チャネル上へ送出する。一方、デインターリーブ部２１４は、制御部２７０による制御の下で、端末装置１００との間の通信チャネルを介して受信されるデータ信号のビット列をデインターリーブする。そして、無線通信部２１０は、デインターリーブ部２１４によりデインターリーブされたデータ信号を、インタフェース部２５０へ出力する。
【００５１】
図６は、無線通信部２１０のより詳細な構成の一例を示すブロック図である。図６を参照すると、無線通信部２１０は、アンテナ２１６、ＬＮＡ（Low  Noise  Amplifier）２２０、複数のダウンコンバータ２２２ａ〜２２２ｃ、複数のフィルタ２２４ａ〜２２４ｃ、複数のＡＤＣ（Analogue  to  Digital  Convertor）２２６ａ〜２２６ｃ、復調部２２８、デインターリーブ部２１４、インターリーブ部２１２、変調部２３０、複数のＤＡＣ（Digital  to  Analogue  Convertor）２３２ａ〜２３２ｃ、さらなる複数のフィルタ２３４ａ〜２３４ｃ、複数のアップコンバータ２３６ａ〜２３６ｃ、合成器２３８、ＰＡ（Power  Amplifier）２４０、及びアンテナ２４２を含む。
【００５２】
アンテナ２１６は、端末装置１００から送信される無線信号を受信すると、受信信号をＬＮＡ２２０へ出力する。ＬＮＡ２２０は、受信信号を増幅する。ダウンコンバータ２２２ａ及びフィルタ２２４ａは、ＬＮＡ２２０により増幅された受信信号から、第１のコンポーネントキャリア（ＣＣ１）のベースバンド信号を分離する。そして、分離された当該ベースバンド信号は、ＡＤＣ２２６ａによりデジタル信号に変換され、復調部２２８へ出力される。同様に、ダウンコンバータ２２２ｂ及びフィルタ２２４ｂは、ＬＮＡ２２０により増幅された受信信号から、第２のコンポーネントキャリア（ＣＣ２）のベースバンド信号を分離する。そして、分離された当該ベースバンド信号は、ＡＤＣ２２６ｂによりデジタル信号に変換され、復調部２２８へ出力される。また、ダウンコンバータ２２２ｃ及びフィルタ２２４ｃは、ＬＮＡ２２０により増幅された受信信号から、第３のコンポーネントキャリア（ＣＣ３）のベースバンド信号を分離する。そして、分離された当該ベースバンド信号は、ＡＤＣ２２６ｃによりデジタル信号に変換され、復調部２２８へ出力される。その後、復調部２２８は、各コンポーネントキャリアのベースバンド信号を復調することによりデータ信号を生成し、当該データ信号をデインターリーブ部２１４へ出力する。デインターリーブ部２１４は、復調部２２８から入力されるデータ信号をデインターリーブし、デインターリーブ後のデータ信号をインタフェース部２５０へ出力する。
【００５３】
また、インタフェース部２５０からデータ信号が入力されると、インターリーブ部２１２は、当該データ信号をインターリーブし、インターリーブ後のデータ信号を変調部２３０へ出力する。変調部２３０は、インターリーブ部２１２から入力されるデータ信号を変調し、コンポーネントキャリアごとのベースバンド信号を生成する。それらベースバンド信号のうち、第１のコンポーネントキャリア（ＣＣ１）のベースバンド信号は、ＤＡＣ２３２ａにより、アナログ信号に変換される。そして、フィルタ２３４ａ及びアップコンバータ２３６ａにより、当該アナログ信号から、送信信号のうちの第１のコンポーネントキャリアに対応する周波数成分が生成される。同様に、第２のコンポーネントキャリア（ＣＣ２）のベースバンド信号は、ＤＡＣ２３２ｂにより、アナログ信号に変換される。そして、フィルタ２３４ｂ及びアップコンバータ２３６ｂにより、当該アナログ信号から、送信信号のうちの第２のコンポーネントキャリアに対応する周波数成分が生成される。また、第３のコンポーネントキャリア（ＣＣ３）のベースバンド信号は、ＤＡＣ２３２ｃにより、アナログ信号に変換される。そして、フィルタ２３４ｃ及びアップコンバータ２３６ｃにより、当該アナログ信号から、送信信号のうちの第３のコンポーネントキャリアに対応する周波数成分が生成される。その後、生成された３つのコンポーネントキャリアに対応する周波数成分が合成器２３８により合成され、送信信号が形成される。ＰＡ２４０は、かかる送信信号を増幅した後、アンテナ２４２へ出力する。そして、アンテナ２４２は、当該送信信号を無線信号として端末装置１００へ送信する。
【００５４】
なお、図４に示した端末装置１００の無線通信部１１０は、処理性能の要件等が異なるものの、図６を用いて説明した基地局２００の無線通信部２１０の構成と同様に構成され得る。
【００５５】
また、図６では、無線通信部２１０が３つのコンポーネントキャリアを扱う例について説明したが、無線通信部２１０が扱うコンポーネントキャリアの数は、２つであってもよく、又は４つ以上であってもよい。また、図６では、無線通信部２１０が受信アンテナ２１６と送信アンテナ２４２とをそれぞれ１つ有する例について説明した。しかしながら、無線通信部２１０は、受信アンテナ２１６と送信アンテナ２４２とをそれぞれ複数有し、複数のＭＩＭＯ（Multiple  Input  Multiple  Output）ストリームを扱うように構成されてもよい。
【００５６】
（インタフェース部）
図５に戻り、基地局２００の構成の一例についての説明を継続する。インタフェース部２５０は、例えば、図１に例示したＳ１インタフェースを介して、無線通信部２１０、制御部２７０及びＱｏＳ管理部２８０と上位ノードとの間の通信を仲介する。また、インタフェース部２５０は、例えば、図１に例示したＸ２インタフェースを介して、無線通信部２１０、制御部２７０及びＱｏＳ管理部２８０と他の基地局との間の通信を仲介する。
【００５７】
（記憶部）
記憶部２６０は、ハードディスク又は半導体メモリなどの記憶媒体を用いて、基地局２００のセルに属している端末装置ごとに、各端末装置がどのコンポーネントキャリアを使用して通信をしているかを表すＣＣ管理データを保持する。かかるＣＣ管理データは、新たな端末装置が基地局２００のセルに参加した際、又は既存の端末装置がコンポーネントキャリアを変更した際に、制御部２７０により更新され得る。従って、制御部２７０は、かかるＣＣ管理データを参照することにより、端末装置１００がどのコンポーネントキャリアを使用しているかを知ることができる。
【００５８】
また、記憶部２６０は、各トラフィックが充足すべきＱｏＳクラスごとのエラーレート、許容遅延量又は保証ビットレートなどの属性値を表すＱｏＳデータを保持する。かかるＱｏＳデータは、通信リソースのスケジューリングの際に、各コンポーネントキャリアと各データ信号のＱｏＳクラスとの間のマッピングを決定するために用いられる。
【００５９】
（品質取得部）
品質取得部２６８は、端末装置１００との間の通信チャネルのコンポーネントキャリアごとのチャネル品質を取得する。例えば、品質取得部２６８は、端末装置１００から送信されるチャネル品質レポートを無線通信部２１０を介して取得してもよい。その代わりに、品質取得部２６８は、無線通信部２１０における受信信号の電力レベル及びエラーレートなどを測定することにより、コンポーネントキャリアごとのチャネル品質を取得してもよい。品質取得部２６８は、取得したコンポーネントキャリアごとのチャネル品質の値を、制御部２７０へ出力する。
【００６０】
（制御部）
制御部２７０は、ＣＰＵ又はＤＳＰなどの処理装置を用いて、基地局２００の機能全般を制御する。例えば、制御部２７０は、ＱｏＳ管理部２８０から通知される各トラフィックが充足すべきＱｏＳクラスごとの属性値に基づいて、端末装置１００によるデータ伝送のために通信リソースをスケジューリングする。その際、制御部２７０は、品質取得部２６８により取得されるコンポーネントキャリアごとのチャネル品質、及びコンポーネントキャリアごとの通信リソースの空き状況に応じて、各コンポーネントキャリアと各データ信号のＱｏＳクラスとの間のマッピングを決定する。かかるマッピングの典型的な３つのパターン（６つのバリエーション）について、後に例を挙げてさらに説明する。
【００６１】
また、制御部２７０は、各コンポーネントキャリアと各データ信号のＱｏＳクラスとの間のマッピングの結果に応じて、端末装置１００との間の通信チャネル上で伝送されるデータ信号についての、インターリーブ部２１２によるインターリーブ処理及びデインターリーブ部２１４によるデインターリーブ処理を制御する。インターリーブ部２１２によるインターリーブ処理の構成の３つの例について、後に例を挙げてさらに説明する。
【００６２】
（ＱｏＳ管理部）
ＱｏＳ管理部（ＱｏＳマネージャともいう）２８０は、各トラフィックが充足すべきＱｏＳ要件を、例えば記憶部２６０により保持されるＱｏＳデータを用いて共通的に管理する。また、ＱｏＳ管理部２８０は、通信リソースのスケジューリングに先立って、スケジューリングの対象となるべきデータ信号についてのＱｏＳ要件を制御部２７０へ通知する。なお、ＱｏＳ管理部２８０は、ＱｏＳ要件を充足できない可能性がある場合には、ＲＡＮ（Radio  Access  Network）の経路の変更又は有線リンクの活用などによりＱｏＳ要件を充足できるように他の基地局又は上位ノードと交渉してもよい。
【００６３】
また、ＱｏＳ管理部２８０は、基地局２００に配置される代わりに、基地局２００の上位ノードに配置されてもよい。基地局２００の上位ノードとは、例えば、サービングゲートウェイ又はＭＭＥなどに相当するノードである。
【００６４】
［２−３．インターリーブ処理の構成例］
次に、図７Ａ〜図７Ｃを用いて、インターリーブ部２１２によるインターリーブ処理の構成の３つの例について説明する。なお、デインターリーブ部２１４によるデインターリーブ処理は、インターリーブ処理の逆方向の処理として構成され得る。説明の冗長さを避ける観点から、デインターリーブ処理についての詳細な説明は省略する。
【００６５】
（第１の例）
まず、図７Ａを参照すると、データ信号を複数のコンポーネントキャリア間で周波数インターリーブ（ＣＣインターリーブ）するインターリーブ部２１２ａの構成が示されている。図７Ａの例では、インターリーブ部２１２ａは、第１から第６までのビットを、３つのコンポーネントキャリア間で１ビットずつ均等にインターリーブしている。その結果、第１のコンポーネントキャリアには第１及び第４のビット、第２のコンポーネントキャリアには第２及び第５のビット、第３のコンポーネントキャリアには第３及び第６のビットが分配されている。
【００６６】
このように、制御部２７０は、例えば、一定の割合を超える空きリソースが存在し、かつ所定の品質レベルを満たす複数のコンポーネントキャリアの間で、ＱｏＳクラスによらず各データ信号を均等に分配させてもよい。それにより、インターリーブの制御が単純化されて処理の負荷が低減されると共に、インターリーブによるリンク特性の改善の効果を見込むことができる。また、例えば、制御部２７０は、３つのコンポーネントキャリアのうち所定の品質レベルを満たさないコンポーネントキャリアに、相対的に高いサービス品質が要求されるクラスに分類されるデータ信号を分配させなくてもよい。相対的に高いサービス品質が要求されるクラスとは、例えば、表１に示した“Conversational”クラス又は“Streaming”クラスなどであってよい。それにより、厳しい（あるいは優先度の高い）ＱｏＳ要件が課されるデータ信号について、ＱｏＳ要件を違反するリスクを回避した上で、インターリーブによるリンク特性の改善の効果を見込むことができる。制御部２７０は、例えば、インターリーブ部２１２に制御信号Ｓ１ａを出力することにより、インターリーブ部２１２に上述したインターリーブ処理を実行させ得る。
【００６７】
（第２の例）
また、図７Ｂを参照すると、データ信号を周波数インターリーブする前に時間インターリーブ（ビットインターリーブ）するインターリーブ部２１２ｂの構成が示されている。図７Ｂの例では、まず、第１から第４までのビットの順序が、第４、第１、第３、第２の順に並び替えられている。その後、これら４つのビットは、３つのコンポーネントキャリア間で周波数インターリーブされている。その結果、第１のコンポーネントキャリアには第４及び第２のビット、第２のコンポーネントキャリアには第１のビット、第３のコンポーネントキャリアには第３のビットが分配されている。
【００６８】
このように、周波数インターリーブに加えて時間インターリーブを行うことで、例えば、利用可能なコンポーネントキャリアの数が（例えば所定の基準値よりも）少ない場合に、周波数インターリーブによる特性の改善の効果の弱まりを補うことができる。利用可能なコンポーネントキャリアとは、例えば、所定の品質レベルを満たし、かつ通信リソースに十分な空きを有するコンポーネントキャリアを意味する。従って、制御部２７０は、例えば、利用可能なコンポーネントキャリアの数が所定の基準値を下回ると判定される場合に、各データ信号をインターリーブ部２１２ｂに時間インターリーブさせてもよい。
【００６９】
ここで、時間インターリーブにおけるビットの並び替えのパターンは、例えば、予め通信の仕様として定義される。それにより、例えば、基地局２００のインターリーブ部２１２においてインターリーブしたビット列を、端末装置１００のデインターリーブ部１１４においてデインターリーブすることができる。
【００７０】
（第３の例）
また、図７Ｃを参照すると、データ信号を周波数インターリーブした後に空間インターリーブ（複数のＭＩＭＯストリームへのストリームインターリーブ）するインターリーブ部２１２ｃの構成が示されている。図７Ｃの例では、まず、第１から第６までのビットが、３つのコンポーネントキャリア間で１ビットずつ均等にインターリーブされている。その結果、第１のコンポーネントキャリアには第１及び第４のビット、第２のコンポーネントキャリアには第２及び第５のビット、第３のコンポーネントキャリアには第３及び第６のビットが分配されている。さらに、第１のコンポーネントキャリアに分配されたビットのうち、第１のビットと第４のビットとが異なるＭＩＭＯストリームに分配されている。同様に、第２のコンポーネントキャリアに分配されたビットのうち、第２のビットと第５のビットとが異なるＭＩＭＯストリームに分配されている。また、第３のコンポーネントキャリアに分配されたビットのうち、第３のビットと第６のビットとが異なるＭＩＭＯストリームに分配されている。
【００７１】
このように、周波数インターリーブに加えて空間インターリーブを行うことによっても、例えば、利用可能なコンポーネントキャリアの数が（例えば所定の基準値よりも）少ない場合に、周波数インターリーブによる特性の改善の効果の弱まりを補うことができる。従って、制御部２７０は、例えば、利用可能なコンポーネントキャリアの数が所定の基準値を下回ると判定される場合に、複数のＭＩＭＯアンテナを用いて、インターリーブ部２１２ｃにより、各データ信号を複数のＭＩＭＯストリームへ空間インターリーブさせてもよい。
【００７２】
ここで、空間インターリーブにおけるＭＩＭＯストリームへのビットの配分のパターンは、例えば、予め通信の仕様として定義される。それにより、例えば、基地局２００のインターリーブ部２１２においてインターリーブしたビット列を、端末装置１００のデインターリーブ部１１４においてデインターリーブすることができる。
【００７３】
なお、図７Ａ〜図７Ｃを用いて説明した周波数インターリーブ、時間インターリーブ及び空間インターリーブは、本明細書において説明した組合せに限定されず、任意の組合せにおいて使用され得る。例えば、周波数インターリーブ、時間インターリーブ及び空間インターリーブの全てを行うようにインターリーブ部２１２が構成されてもよい。また、これらインターリーブ処理の間に他の処理が介在してもよい。例えば、時間インターリーブと周波数インターリーブとの間、又は周波数インターリーブと空間インターリーブとの間のタイミングで、符号化処理等が行われてもよいことは明白である。
【００７４】
［２−４．コンポーネントキャリアとクラスとの間のマッピング］
次に、図８〜図１０Ｄを用いて、各コンポーネントキャリアと各データ信号のＱｏＳクラスとの間のマッピングの典型的なパターンについて説明する。
【００７５】
（第１のパターン）
図８は、各コンポーネントキャリアと各データ信号のＱｏＳクラスとの間のマッピングの第１のパターン（パターンＰ１）について説明するための説明図である。第１のパターンは、伝送されるデータ信号が単一のＱｏＳクラスのデータビットのみを含む場合に採用され得るパターンである。
【００７６】
図８を参照すると、データ信号は、クラスＣ１に属すデータビットのみを含んでいる。基地局２００の制御部２７０は、かかるデータビットを、コンポーネントキャリアごとに均等に又は非均等に分配する。図８の例では、コンポーネントキャリアＣＣ１、ＣＣ２及びＣＣ３内のリソースブロックが、それぞれ３：２：１の比率で非均等にスケジューリングされている。このような比率は、コンポーネントキャリアごとのチャネル品質又はリソースの空き状況に応じて決定され得る（例えば、品質の良好なコンポーネントキャリア、又は空きリソースの多いコンポーネントキャリアに、より多くのビットが分配される）。
【００７７】
（第２のパターン）
図９は、各コンポーネントキャリアと各データ信号のＱｏＳクラスとの間のマッピングの第２のパターン（パターンＰ２）について説明するための説明図である。第２のパターンは、伝送されるデータ信号が複数のＱｏＳクラスのデータビットを含む場合に採用され得るパターンである。
【００７８】
図９を参照すると、データ信号は、クラスＣ１、Ｃ２及びＣ３に属すデータビットを含んでいる。基地局２００の制御部２７０は、これらデータビットを、異なるクラスに分類されるデータビットが互いに異なるコンポーネントキャリア上で伝送されるように各コンポーネントキャリアに分配する。例えば、クラスＣ１のＱｏＳ要件が最も厳しい（優先度が最も高い）場合には、制御部２７０は、クラスＣ１に属すデータビットを最もチャネル品質の良好なコンポーネントキャリアＣＣ１に割り当てる。また、制御部２７０は、ＱｏＳ要件が次に厳しい（優先度が次に高い）クラスＣ２に属すデータビットを、次にチャネル品質の良好なコンポーネントキャリアＣＣ２に割り当てる。さらに、制御部２７０は、ＱｏＳ要件が最も緩やかなクラスＣ３に属すデータビットを、残るコンポーネントキャリアＣＣ３に割り当てる。このような第２のパターンによれば、１つのコンポーネントキャリア内では１種類のＱｏＳクラスに属すデータ信号のみが伝送されるため、ＱｏＳ管理に要するコストが低減される。
【００７９】
（第３のパターン）
図１０Ａ〜図１０Ｄは、各コンポーネントキャリアと各データ信号のＱｏＳクラスとの間のマッピングの第３のパターンについて説明するための説明図である。第３のパターンは、第２のパターンと同様、伝送されるデータ信号が複数のＱｏＳクラスのデータビットを含む場合に採用され得るパターンである。但し、第３のパターンにおいては、互いに異なるクラスに分類されるデータビットが共通する１つのコンポーネントキャリアに分配され得る。以下、第３のパターンの４つのバリエーション、即ち、パターンＰ３ａ〜Ｐ３ｄについて順に説明する。
【００８０】
図１０Ａ（パターンＰ３ａ）を参照すると、データ信号は、クラスＣ１、Ｃ２及びＣ３に属すデータビットを含んでいる。基地局２００の制御部２７０は、これらデータビットを、各コンポーネントキャリアに同じ比率で分配する。即ち、コンポーネントキャリアＣＣ１に分配されるクラスＣ１、Ｃ２及びＣ３にそれぞれ属すデータビットの比率は、コンポーネントキャリアＣＣ２及びＣＣ３についてのその比率と等しい。パターンＰ３ａによれば、データビットの分配を共通的な比率によって決定できるため、マッピング処理が単純化され、スケジューリングに際しての処理コストが低減され得る。また、周波数インターリーブの効果により、同じクラスに属すデータビットを同じコンポーネントキャリアに単純に分配するよりも良好なリンク特性が得られる。
【００８１】
図１０Ｂ（パターンＰ３ｂ）を参照すると、データ信号は、クラスＣ１、Ｃ２及びＣ３に属すデータビットを含んでいる。基地局２００の制御部２７０は、これらデータビットを、コンポーネントキャリアごとに異なる割合で分配する。図１０Ｂの例では、コンポーネントキャリアＣＣ１に、クラスＣ１、Ｃ２及びＣ３にそれぞれ属すデータビットが分配されている。一方、コンポーネントキャリアＣＣ２には、クラスＣ１に属すデータビットのみが分配されている。また、コンポーネントキャリアＣＣ３には、クラスＣ２及びＣ３にそれぞれ属すデータビットのみが分配されている。パターンＰ３ｂによれば、コンポーネントキャリアごとに割り当てられる通信リソースの量をＱｏＳ要件の厳しさ（優先度の高さ）に応じて増減させることができるため、ＱｏＳ要件を充足させるためにより柔軟なスケジューリングをすることができる。
【００８２】
図１０Ｃ（パターンＰ３ｃ）を参照すると、データ信号は、クラスＣ１、Ｃ２及びＣ３に属すデータビットを含んでいる。基地局２００の制御部２７０は、これらデータビットの全てを、１つのコンポーネントキャリアに分配している。パターンＰ３ｃは、１つのコンポーネントキャリアのチャネル品質が他のコンポーネントキャリアのチャネル品質と比べて格段に良好であって、十分なリソースの空きが存在する場合に採用され得る。
【００８３】
図１０Ｄ（パターンＰ３ｄ）を参照すると、データ信号は、クラスＣ１、Ｃ２及びＣ３に属すデータビットを含んでいる。基地局２００の制御部２７０は、これらデータビットを、コンポーネントキャリアごとに異なる割合で分配する。また、パターンＰ３ｄにおいては、図１０Ｂに示したパターンＰ３ｂと異なり、制御部２７０は、１つのリソースブロックに異なるクラスに属すデータビットを分配する。図１０Ｄの例では、コンポーネントキャリアＣＣ２に、クラスＣ１、Ｃ２及びＣ３にそれぞれ属すデータビットが分配されている。そして、コンポーネントキャリアＣＣ２のリソースブロックＲＢ１に、クラスＣ１及びＣ２にそれぞれ属すデータビットが分配されている。また、コンポーネントキャリアＣＣ２のリソースブロックＲＢ２に、クラスＣ１及びＣ３にそれぞれ属すデータビットが分配されている。パターンＰ３ｄによれば、リソースブロック単位での品質に応じたさらに柔軟なスケジューリングが可能となる。
【００８４】
（マッピングパターンの選択）
制御部２７０は、通信リソースのスケジューリングに際して、上述したいずれのパターンを採用すべきかを、コンポーネントキャリアごとのチャネル品質のばらつき又はコンポーネントキャリアごとのリソースの空き状況に応じて選択することができる。表２は、マッピングパターンの選択基準の一例を示している。なお、ここでは、伝送されるデータ信号が複数のＱｏＳクラスのデータビットを含む場合について主に説明する。
【００８５】
【表２】
0005862718.tif 000003
【００８６】
表２において、リソースの空き状況は、例えば、コンポーネントキャリアごとのリソースの利用率（Availability）に基づいて評価され得る。また、品質のばらつきは、例えば、チャネル品質レポートを通じて得られるコンポーネントキャリアごとのチャネル品質に基づいて評価され得る。
【００８７】
例えば、リソースの空き状況として、全てのコンポーネントキャリアについて利用率が所定の割合を下回る（即ち、十分なリソースの空きがある）ものと仮定する。さらに、全てのコンポーネントキャリアについてチャネル品質が所定の基準を上回る場合には、制御部２７０は、パターンＰ２又はパターンＰ３ａを選択し得る（ケース１−１）。このうち、例えば、ＱｏＳ管理に要するコストを低減することが望ましい場合には、パターンＰ２が選択されてよい。その代わりに、リンク特性を向上させることが望ましい場合には、パターンＰ３ａが選択されてもよい。
【００８８】
また、リソースの空き状況がケース１−１と同様であって、チャネル品質が所定の基準を満たさないコンポーネントキャリアが存在する場合には、制御部２７０は、パターンＰ３ｄを選択し得る（ケース１−２）。
【００８９】
また、リソースの空き状況として、利用率が所定の基準を上回る（即ち、十分なリソースの空きがない）コンポーネントキャリアが存在し、全てのコンポーネントキャリアについてチャネル品質が所定の基準を上回る場合には、制御部２７０は、パターンＰ３ｂを選択し得る（ケース２−１）。また、リソースの空き状況がケース２−１と同様であって、チャネル品質が所定の基準を満たさないコンポーネントキャリアが存在する場合には、制御部２７０は、パターンＰ３ｃを選択し得る（ケース２−２）。
【００９０】
基地局２００の制御部２７０は、このような一例としての選択基準により、各コンポーネントキャリアと各データ信号のＱｏＳクラスとの間のマッピングを決定する。そして、制御部２７０は、マッピングに関連する制御情報を、無線通信部２１０を介して端末装置１００へ送信する。マッピングに関連する制御情報とは、例えば、ダウンリンクの制御チャネル又はブロードキャストチャネル上で配信されるスケジューリング情報であってもよい。好適には、マッピングに関連する制御情報は、各コンポーネントキャリアに含まれるリソースブロックと当該リソースブロック内で伝送される各データ信号のＱｏＳクラスとの間のマッピングを表す。また、マッピングに関連する制御情報は、例えば、採用されたマッピングのパターン及びインターリーブのパターンを識別可能な識別コードを含んでもよい。それにより、端末装置１００の制御部１６０は、基地局２００から送信される当該制御情報に応じて、無線通信部１１０のインターリーブ部１１２及びデインターリーブ部１１４を制御することができる。また、制御部２７０は、各コンポーネントキャリアと各データ信号のＱｏＳクラスとの間のマッピングに応じて、無線通信部２１０のインターリーブ部２１２及びデインターリーブ部２１４を制御する。
【００９１】
＜３．まとめ＞
ここまで、図１〜図１０Ｄを用いて、本発明の一実施形態に係る無線通信システム１について説明した。本実施形態によれば、基地局２００において、コンポーネントキャリアごとのチャネル品質、及びコンポーネントキャリアごとの通信リソースの空き状況に応じて、キャリアアグリゲーション技術により形成された通信チャネル上で伝送されるデータ信号がインターリーブされる。即ち、通信チャネルの状況に応じて適応的にインターリーブが実行されるため、インターリーブの効果を享受できる確実性が高まる。その結果、通信特性が向上し、高いサービス品質レベルを維持することが可能となる。また、周波数インターリーブ、時間インターリーブ及び空間インターリーブが相補的に使用されるため、コンポーネントキャリア間の周波数インターリーブの効果が大きく期待できない状況下でもサービス品質レベルが維持され得る。
【００９２】
なお、本明細書において説明した一実施形態に係る一連の処理をハードウェアで実現するかソフトウェアで実現するかは問わない。一連の処理又はその一部をソフトウェアで実行させる場合には、ソフトウェアを構成するプログラムが、ハードディスク又は半導体メモリなどの記憶媒体に記憶され、実行時にＲＡＭ（Random  Access  Memory）に読み込まれ、ＣＰＵ又はＤＳＰなどの処理装置により実行される。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９４】
１        無線通信システム
１００    端末装置
１１０    無線通信部
１６０    制御部
２００    基地局
２１０    無線通信部
２１２    インターリーブ部
２１４    デインターリーブ部
２６８    品質取得部
２７０    制御部
２８０    ＱｏＳ管理部
【図１】
0005862718.tif 000004
【図２】
0005862718.tif 000005
【図３】
0005862718.tif 000006
【図４】
0005862718.tif 000007
【図５】
0005862718.tif 000008
【図６】
0005862718.tif 000009
【図７Ａ】
0005862718.tif 000010
【図７Ｂ】
0005862718.tif 000011
【図７Ｃ】
0005862718.tif 000012
【図８】
0005862718.tif 000013
【図９】
0005862718.tif 000014
【図１０Ａ】
0005862718.tif 000015
【図１０Ｂ】
0005862718.tif 000016
【図１０Ｃ】
0005862718.tif 000017
【図１０Ｄ】
0005862718.tif 000018